(57)【要約】      （修正有）【課題】組合せ式ハンガの提供。【解決手段】ハンガ本体及びフック２０で構成され、クイック分解、組合せが可能であり、該ハンガ本体が複数の中空管体１１に同一縄体１２が通され、且つ中央に位置する一部の中空管体相互間に相互に嵌合する嵌合部１１ａと嵌合溝１１ｂがあり、該縄体の二端がハンガ本体上方の連接板１３に固定され、並びにフックが取り外し自在に連接板の上端に掛けられ、これにより、中央に位置する一部の中空管体が嵌合された後に、ハンガの形態が形成されて衣類を掛け置くことができ、構造が簡単で、クイック分解、組合せが可能であり、分解後に場所をとらず外出時の携帯に便利である。【選択図】図４
0003120132.tif 000002
【実用新案登録請求の範囲】
【請求項１】
ハンガ本体及びフックで構成されてクイック分解、組合せが可能である組合せ式ハンガにおいて、該ハンガ本体が複数の中空管体に同一の縄体が通され、且つ中央に位置する中空管体相互間に相互に嵌合する嵌合部と嵌合溝が設けられ、該縄体の二端がそれぞれ該ハンガ本体上方の連接板に固定されてなり、該フックが活動自在に連接板の上端に係止されたことを特徴とする、組合せ式ハンガ。
【請求項２】
請求項１記載の組合せ式ハンガにおいて、前記連接板が三つの方向の連接部を具えたことを特徴とする、組合せ式ハンガ。
【請求項３】
請求項１記載の組合せ式ハンガにおいて、前記縄体の二端が係止方式で連接板の連接部に固定されたことを特徴とする、組合せ式ハンガ。
【請求項４】
請求項１記載の組合せ式ハンガにおいて、前記縄体の二端が直接くくり付ける方式で連接板の連接部に固定されたことを特徴とする、組合せ式ハンガ。
【請求項５】
請求項１記載の組合せ式ハンガにおいて、前記連接板の表面に模様が印刷されたことを特徴とする、組合せ式ハンガ。
【請求項６】
請求項１記載の組合せ式ハンガにおいて、前記連接板の表面に広告文字が印刷されたことを特徴とする、組合せ式ハンガ。
【考案の詳細な説明】
【技術分野】
【０００１】
本考案は一種の組合せ式ハンガに係り、特に、クイック分解して複数の部分となすことができ、外出時の携帯に便利な活動組合せ式ハンガであり、その分解後に場所をとらず、且つ構造が簡単で生産製造に便利な組合せ式ハンガに関する。
【背景技術】
【０００２】
図１を参照されたい。現在市場にある簡易ハンガａはいずれも同一線材を直接連続して折り曲げた後、固定形式としてなり、使用に便利ではあるが、その体積サイズはいずれも固定され、折り曲げ或いは分解の方式で収納不能で、このため、外出、旅行、或いは出張時に、一般の使用者に収納の問題をもたらした。ゆえに、市場には折り畳み方式で収納できる折り畳み式ハンガが出現した。図２を参照されたい。これは複数のサポートフレームｂ１を多点で相互に接続する方式で構成されたハンガ本体ｂを具え、その展開使用時には、ハンガ本体ｂはラティス状のハンガ形式に変成し使用される。このような折り畳み式ハンガは収納時に極めて小さい体積とすることができ、外出時の携帯使用に便利である。しかし、このような折り畳み式ハンガは、その構造が複雑で部品数が多く、生産製造のコストが非常にかかり、且つその使用時に、サポートフレーム展開後に複数の突出する角が形成され、衣類を引っかけて損壊させる恐れがある。
【考案の開示】
【考案が解決しようとする課題】
【０００３】
上述の周知のハンガの欠点を鑑み、本考案は構造が簡単で、生産製造が便利で、且つ一般の使用者が外出時に携帯して使用するのに便利であり、そのもとの使用習慣を変更する必要がない、一種の組合せ式ハンガを提供するものである。
【０００４】
即ち、本考案の主要な目的は、一種の組合せ式ハンガを提供することにあり、それは、クイック分解、組合せが可能であり、且つ分解後に場所をとらず、外出時の携帯に便利で、その構造が簡単で、生産製造に便利であるものとする。
【０００５】
上述の目的を達成するため、本考案は、ハンガ本体及びフックで構成され、該ハンガ本体が複数の中空管体、縄体、及び、連接板で構成され、該複数の中空管体に同一縄体が通され、且つ中央に位置する一部の中空管体相互間に相互に嵌合する嵌合部と嵌合溝があり、連接板に三つの方向の連接部があり、該縄体の二端がそれぞれ連接板の連接リング内に固定され、フックが活動自在に連接板上端の連接リングに設置される。
【課題を解決するための手段】
【０００６】
請求項１の考案は、ハンガ本体及びフックで構成されてクイック分解、組合せが可能である組合せ式ハンガにおいて、該ハンガ本体が複数の中空管体に同一の縄体が通され、且つ中央に位置する中空管体相互間に相互に嵌合する嵌合部と嵌合溝が設けられ、該縄体の二端がそれぞれ該ハンガ本体上方の連接板に固定されてなり、該フックが活動自在に連接板の上端に係止されたことを特徴とする、組合せ式ハンガとしている。
請求項２の考案は、請求項１記載の組合せ式ハンガにおいて、前記連接板が三つの方向の連接部を具えたことを特徴とする、組合せ式ハンガとしている。
請求項３の考案は、請求項１記載の組合せ式ハンガにおいて、前記縄体の二端が係止方式で連接板の連接部に固定されたことを特徴とする、組合せ式ハンガとしている。
請求項４の考案は、請求項１記載の組合せ式ハンガにおいて、前記縄体の二端が直接くくり付ける方式で連接板の連接部に固定されたことを特徴とする、組合せ式ハンガとしている。
請求項５の考案は、請求項１記載の組合せ式ハンガにおいて、前記連接板の表面に模様が印刷されたことを特徴とする、組合せ式ハンガとしている。
請求項６の考案は、請求項１記載の組合せ式ハンガにおいて、前記連接板の表面に広告文字が印刷されたことを特徴とする、組合せ式ハンガとしている。
【考案の効果】
【０００７】
上述の構造は相当に簡単で、組立製造が簡単で、その使用時には、まず中央に位置し且つ嵌合構造を具えた中空管体が相互に嵌合された後、本考案が底辺が長く二側辺が短い伝統的なハンガ形式となり、その使用は習慣を変更する必要がなく、相当に便利である。このほか、分解収納時には、底辺の中空管体の嵌合構造が分離された後、中空管体に同一縄体が通され、且つ二端が連接板に固定されていることから、中空管体が脱落することがなく、連接板の三方向の連接部に接続された部品がいずれも活動性を具備し、更に堆積の方式で収納され、その分解後に場所をとらず、外出時の携帯に便利である。本考案のハンガ本体は複数の分離した中空管体で構成され、これにより、中空管体ごとに色を変えることができ、その美観性を増すことができ、伝統的な一体成形のハンガよりもさらに外観をよくすることができる。
【考案を実施するための最良の形態】
【０００８】
図３、４、５に示されるように、本考案の組合せ式ハンガは、ハンガ本体１０及びフック２０で構成されている。
【０００９】
該ハンガ本体１０は、複数の中空管体１１、縄体１２及び連接板１３で構成され、複数の中空管体１１に同一の縄体１２が通され、且つ中央に位置する一部の中空管体１１相互間に相互に嵌合する嵌合部１１ａと嵌合溝１１ｂが設けられ、連接板１３は三つの方向の連接部１３ａを具えている。該縄体１２の二端が係止方式或いは直接括りつける方式で、それぞれ連接板１３の連接部１３ａ内に固定される。このほか、連接板１３の表面に模様或いは広告文字を印刷可能である。
【００１０】
該フック２０は、係止部２１と固定部２２を包含し、該フック２０の固定部２２は連接板１３の上端の連接部１３ａに活動自在に係止される。
【００１１】
その使用時には、まず、中央に位置し且つ嵌合構造を具えた中空管体１１を相互に嵌合させることで、本考案を底辺が長く二側辺が短い伝統的なハンガ形式となす。
【００１２】
その分解収納時には、中央に位置し且つ相互に嵌合された中空管体１１を分離する。中空管体１１には同一の縄体１２が通され、且つ縄体１２の二端が連接板１３の連接部１３ａ内に固定されているため、中空管体１１が脱落する恐れがなく、連接板１３の三方向の連接部１３ａ内に接続された部品はいずれも活動可能であり、更に堆積方式で収納する。
【００１３】
総合すると、本考案の組合せ式ハンガは、中央に位置する中空管体がクイック分解、組合せが可能であり、且つ分解後に堆積方式で収納可能で、場所をとらず外出時の携帯に便利であり、且つ構造が簡単で生産製造に便利であり、本考案は実用性と進歩性を有する。
【図面の簡単な説明】
【００１４】
【図１】周知の固定式ハンガの立体構造図である。
【図２】周知の折り畳み式ハンガの立体構造図である。
【図３】本考案の立体分解図である。
【図４】本考案の組合せ断面図である。
【図５】本考案の分解表示図である。
【符号の説明】
【００１５】
１０  ハンガ本体                ２０  フック
１１  中空管体                  １２  縄体
１３  連接板                    １１ａ  嵌合部
１１ｂ  嵌合溝                  １３ａ  連接部
２１  係止部                    ２２  固定部
【図１】
0003120132.tif 000003
【図２】
0003120132.tif 000004
【図３】
0003120132.tif 000005
【図４】
0003120132.tif 000006
【図５】
0003120132.tif 000007